(57)【要約】【課題】  床面等に簡単に設置でき、且つ、ネジ孔等の痕跡を残さずに撤去することが可能な支柱支持具及びその固定方法を提供する。【解決手段】  支柱１６ａ，１６ｂの下端を収容して保持する手摺収容部１１，１１を備えるベース部材１０は路面や床面に設置され、第一の粘着テープ１２，１２により固定される。この第一の粘着テープ１２，１２上にはカバー部材１３が配置され、このカバー部材１３には第二の粘着テープ１４，１４によって保護部材１５が粘着される。更に、手摺収容部１１，１１に支柱１６ａ，１６ｂが取り付けられ、更に、支柱１６ａ，１６ｂには手摺り１７が取り付けられる。これにより、取り付けが簡単になるとともに撤去しても設置前の状態を保持することができる。【選択図】  図２
2014001543.tif 000002
【特許請求の範囲】
【請求項１】
手摺を取り付けるための支柱を支持する支柱支持具において、
ベース本体と、前記ベース本体の上面に設けられ、前記支柱の下端部側を収容して保持する手摺収容部と、前記ベース本体の周囲に設けられ、設置すべき取り付け面と密着されるベース鍔を備えたベース部材と、
前記ベース部材を覆うようにして配置されるカバー本体と、前記カバー本体の周囲に設けられ、前記ベース鍔よりも外側で前記取り付け面と密着されるカバー鍔を備えたカバー部材と、
前記カバー部材の周囲を覆うようにして配置される保護部材と、
を備え、
前記ベース部材の前記ベース鍔と前記取り付け面とは第一の粘着テープによって密着されると共に、前記ベース部材を覆うようにして配置した前記カバー部材の前記カバー鍔と前記取り付け面とは第二の粘着テープによって密着され、さらに、前記保護部材を前記カバー部材の周囲に配置固定することにより前記取り付け面に設置されることを特徴とする支柱支持具。
【請求項２】
請求項１に記載の支柱支持具において、
前記ベース本体は、当該ベース本体と前記カバー本体とをネジで固定した際に前記ネジが前記取り付け面に接触しないように形成したことを特徴とする支柱支持具。
【請求項３】
請求項２に記載の支柱支持具において、
前記カバー本体と前記ベース鍔との間にパッド部材が配置され、前記ベース本体と前記カバー本体とをネジで固定した際に前記パッド部材が前記ベース鍔と前記取り付け面とを固定している第一の粘着テープをさらに押圧することで前記第一の粘着テープの粘着力を補強するようにしたことを特徴とする支柱支持具。
【請求項４】
請求項１から３のいずれか１項に記載の支柱支持具において、
前記保護部材は、発泡系樹脂によって形成されたことを特徴とする支柱支持具。
【請求項５】
請求項１から４のいずれか１項に記載の支柱支持具を固定するための支柱支持具の固定方法において、
前記ベース部材を取り付け面に配置して、前記ベース鍔と前記取り付け面とを第一の粘着テープで固定する工程と、
前記ベース部材を覆うようにして前記カバー部材を配置して、前記カバー鍔と前記取り付け面とを第二の粘着テープで固定する工程と、
前記カバー部材の周囲に前記保護部材を配置固定する行程と、
を含み構成されたことを特徴とする支柱支持具の固定方法。
【請求項６】
請求項２に記載の支柱支持具の固定方法において、
前記ベース本体と前記カバー本体とをネジで固定した際に前記ネジが前記取り付け面に接触しないように形成したことを特徴とする支柱支持具の固定方法。
【請求項７】
請求項３に記載の支柱支持具の固定方法において、
前記カバー本体と前記ベース鍔との間にパッド部材を配置することにより、前記ベース本体と前記カバー本体とをネジで固定した際に前記パッド部材が前記ベース鍔と前記取り付け面とを固定している第一の粘着テープをさらに押圧させて前記第一の粘着テープの粘着力を補強するようにしたことを特徴とする支柱支持具の固定方法。
【請求項８】
請求項３に記載の支柱支持具の固定方法において、
前記保護部材を第二の粘着テープで固着することを特徴とする支柱支持具の固定方法。
【発明の詳細な説明】
【技術分野】
【０００１】
本発明は支柱支持具及びその固定方法に関し、特に、支柱の敷設及び撤去が簡単に行うことができ、且つ、敷設工事の跡等の痕跡が残らないようにした支柱支持具及びその固定方法に関する。
【背景技術】
【０００２】
近年では我が国の高齢化が進み、各種の対策が必要になってきている。例えば、通路や階段等には手摺りが設けられている。一般的な手摺りは、通路や階段に沿って所定間隔にベース部材を設置し、各ベース部材に支柱を立設し、支柱の上端間に手摺りを水平に架設した構成となっている。ベース部材は利用者の体重がかかっても支柱が倒れたりしないように、地面や床にボルト等によって強固に取り付けられている。そのような手摺りの支柱の取付構造として例えば、特許文献１に示すものがある。
【０００３】
また、仮設用の手摺りを取り付けるための装置として特許文献２に示すものが提案されている。この仮設用手摺取付装置は、基板の上面中央部に手摺支柱の取付金具を固着し、上記基板の下面の少なくとも一個所に型枠取付軸を設けると共に、基板の下面に支持脚を一体的に設けてなる金具本体と、上記金具本体の取付金具に対して着脱可能に構成した手摺支柱とを備えて構成されている。
【先行技術文献】
【特許文献】
【０００４】
【特許文献１】特開２００７−１５４５４９号公報
【特許文献２】特開平１０−３３１４３３号公報
【発明の概要】
【発明が解決しようとする課題】
【０００５】
しかしながら、家の中に後から手摺りを取り付けたい場合には特許文献１に示すような構造の場合には支柱をアンカーボルト等で床面に固定する必要があり作業が大変であり、現実的ではない。また、手摺りを撤去した後には敷設工事の痕跡が床面に残ってしまい好ましくない。さらに、特許文献２に示すような仮設用手摺取付装置では、取付脚を型枠受片を介してスラブ型枠に挿入し取付脚をナットでスラブ型枠に締め付ける構成であるため、鉄筋コンクリートの工事現場等の用途には適するがフローリングやタイル等の家屋内の床面等には適しない。
【０００６】
そこで、本発明は、かかる問題点に鑑みなされたもので、面倒な取り付け作業を必要とせずに家屋の床面に簡単に設置でき、且つ、不要となった場合には設置面にネジ孔等の痕跡を残さずに撤去することが可能な支柱支持具及びその固定方法を提供することを目的とする。
【課題を解決するための手段】
【０００７】
上記課題を解決するために請求項１に記載の発明は、手摺を取り付けるための支柱を支持する支柱支持具において、ベース本体と、ベース本体の上面に設けられ、支柱の下端部側を収容して保持する手摺収容部と、ベース本体の周囲に設けられ、設置すべき取り付け面と密着されるベース鍔を備えたベース部材と、ベース部材を覆うようにして配置されるカバー本体と、カバー本体の周囲に設けられ、ベース鍔よりも外側で取り付け面と密着されるカバー鍔を備えたカバー部材と、カバー部材の周囲を覆うようにして配置される保護部材とを備え、ベース部材のベース鍔と取り付け面とは第一の粘着テープによって密着されると共に、ベース部材を覆うようにして配置したカバー部材のカバー鍔と取り付け面とは第二の粘着テープによって密着され、さらに、保護部材をカバー部材の周囲に配置固定することにより取り付け面に設置されることを特徴とする支柱支持具。
【０００８】
上記課題を解決するために請求項２に記載の本発明は、請求項１に記載の支柱支持具において、ベース本体は、該ベース本体とカバー本体とをネジで固定した際にネジが取り付け面に接触しないように形成したことを特徴とする。
【０００９】
上記課題を解決するために請求項３に記載の本発明は、請求項２に記載の支柱支持具において、カバー本体とベース鍔との間にパッド部材が配置され、ベース本体とカバー本体とをネジで固定した際にパッド部材がベース鍔と取り付け面とを固定している第一の粘着テープをさらに押圧することで第一の粘着テープの粘着力を補強するようにしたことを特徴とする。
【００１０】
上記課題を解決するために請求項４に記載の本発明は、請求項１から３のいずれか１項に記載の支柱支持具において、保護部材は、発泡系樹脂によって形成されたことを特徴とする。
【００１１】
上記課題を解決するために請求項５に記載の本発明は、請求項１から４のいずれか１項に記載の支柱支持具を固定するための支柱支持具の固定方法において、ベース部材を取り付け面に配置して、ベース鍔と取り付け面とを第一の粘着テープで固定する工程と、ベース部材を覆うようにしてカバー部材を配置して、カバー鍔と取り付け面とを第二の粘着テープで固定する工程と、カバー部材の周囲に保護部材を配置固定する行程とを含み構成されたことを特徴とする。
【００１２】
上記課題を解決するために請求項６に記載の本発明は、請求項２に記載の支柱支持具の固定方法において、ベース本体とカバー本体とをネジで固定した際にネジが取り付け面に接触しないように形成したことを特徴とする。
【００１３】
上記課題を解決するために請求項７に記載の本発明は、請求項３に記載の支柱支持具の固定方法において、カバー本体とベース鍔との間にパッド部材を配置することにより、ベース本体とカバー本体とをネジで固定した際にパッド部材がベース鍔と取り付け面とを固定している第一の粘着テープをさらに押圧させて第一の粘着テープの粘着力を補強するようにしたことを特徴とする。
【００１４】
上記課題を解決するために請求項８に記載の本発明は、請求項３に記載の支柱支持具の固定方法において、保護部材を第二の粘着テープで固着することを特徴とする。
【発明の効果】
【００１５】
本発明に係る支柱支持具及びその固定方法によれば、ベース部材を粘着テープによって固定するようにしたので、タイル面や建屋内の床面等に簡単に設置でき、且つ、ネジ孔等の痕跡を残さずに撤去することができるという効果がある。
また、カバー部材とベース部材との間にパッド部材を設けたことによりパッド部材が第一の両面テープを押圧することができるため、該両面テープによるベース部材の固定を確実、且つ、強固に粘着固定することができるという効果がある。
【図面の簡単な説明】
【００１６】
【図１】（ａ）は本発明に係る支柱支持具の一実施形態を示す斜視図，（ｂ），（ｃ）はベース部材の他の構成例を示す斜視図である。
【図２】図1に示す支柱支持具の分解斜視図である。
【図３】（ａ）は図１（ａ）に示すベース部材及びカバー部材の詳細を示す断面図、（ｂ）は支柱支持具に荷重がかかった場合の断面図である。
【図４】本発明に係る支柱支持具の固定方法を示す工程図である。
【発明を実施するための形態】
【００１７】
以下、本発明に係る支柱支持具及びその固定方法について、好ましい一実施形態に基づいて詳細に説明する。図１（ａ）は本発明に係る支柱支持具の一実施形態の組み立て後の状態を示す斜視図、（ｂ），（ｃ）はベース部材の他の構成例を示す斜視図である。また、図２は図1の支柱支持具の分解斜視図である。
【００１８】
［支柱支持具の構成］
図示された支柱支持具１は、図２に示すように、概略として中心部にパイプ形状の手摺収容部１１が立設されて廊下や床面等の所定の場所に所定の間隔を有して複数配置されるベース部材１０と、ベース部材１０の縁部を上面側から井桁状に覆ってベース部材１０を取り付け面（廊下や床面等）に貼り付ける４枚の第一の粘着テープ１２，１２と、ベース部材１０を上部から覆うようにして配置されるカバー部材１３と、カバー部材１３の周縁部とその周囲の取り付け面に貼り付けられる４枚の第二の粘着テープ１４，１４と、第二の粘着テープ１４，１４が貼付されたカバー部材１３の周縁部に重なるようにして配置される保護部材１５と、を備えて構成されている。そして、所定間隔を隔てて配置された支柱支持具１の各ベース部材１０，１０手摺収容部１１，１１にそれぞれ支柱１６ａ，１６ｂの下端が挿入され、この支柱１６ａ，１６ｂの上端に手摺り１７が水平に架け渡される。尚、手摺収容部１１の形状は立設すべき支柱１６ａ，１６ｂの形状に即したものとすることができる。
【００１９】
ベース部材１０は、平面形状が図１（ａ）に示すような四角形状や、図１（ｂ）に示すような六角形状、或いは八角形などの多角形状の他、図１（ｃ）に示すような丸形状等の適宜の形状とすることができる。後述する第一の粘着テープ１２及び第二の粘着テープ１４の貼付作業を考慮すればベース部材１０の縁部は直線状とすることが好ましいが、丸形形状を排除するものではない。また、図３に示すように、手摺収容部１１が立設される部分は肉厚のベース本体１０ｂとなっており、ベース本体１０ｂの周囲には薄板状のベース鍔１０ａが設けられた形状となっている。
【００２０】
カバー部材１３は、図３に示すように、ベース部材１０の手摺収容部１１以外の全体を覆うカバー本体２０と、カバー本体２０の外周部に設けられたカバー鍔１３ａとを備え、カバー本体２０は、例えば２〜４つのネジ１８，１８によってベース本体１０ｂに固定される。ベース部材１０のベース鍔１０ａとカバー本体２０との間には中空部１９が形成されるような形状とされており、この中空部１９内にパッド部材２１が内装される。パッド部材２１は、クッション性を有する発泡性樹脂によって形成され、ネジ１８，１８によってカバー部材１３をベース本体１０ｂに締着した際にカバー部材１３を下方側に向かって付勢するので第一の粘着テープ１２，１２を上方から押し付けるように作用して第一の粘着テープ１２，１２の粘着力を効果的に発揮させる。また、手摺り１７に力が加わってベース部材１０のベース鍔１０ａが浮き上がるような方向に作用した場合（図３（ｂ）に示す状態）にもパッド部材２１はベース鍔１０ａを取り付け面側に押しつけるように作用してベース部材１０のベース鍔１０ａが浮き上がるのを防止する。尚、図３（ｂ）ではベース鍔１０ａが浮き上がった状態を示しているが、これはベース鍔１０ａの浮き上がり防止の説明のためであり、実際の状況を示すものではない。
【００２１】
尚、パッド部材２１は、予めカバー部材１３の裏側に内装しておいてもよいが、別体として支柱支持具１を設置する際にベース部材１０とカバー部材１３の中空部１９内に配置するようにしてもよい。また、ベース本体１０ｂは、ベース部材１０とカバー本体２０とをネジ１８，１８で固定した際にネジ１８，１８が取り付け面と接触しないような高さを有して形成されている。これにより、ネジ１８，１８をしっかりと締着した場合でもネジ１８，１８の先端が取り付け面に至らないので取り付け面を傷つけることがない。
【００２２】
カバー鍔１３ａ及びその周囲の取り付け面を覆うようにして配置される保護部材１５は、クッション性を有する発泡性樹脂で形成されており、これにより、図３（ａ）に示すように、カバー鍔１３ａと取り付け面との段差に即して容易に変形して第二の粘着テープ１４，１４を取り付け面に密着させると共に、歩行者の足が接触した際にその保護を図る。また、本実施形態では、第二の粘着テープ１４，１４として両面に粘着層を備えた両面テープを用いると共に、保護部材１５の底面の途中に至る長さとし、その途中部分から保護部材１５の端部に至る部分には粘着部材１４ａを介在させることで手摺り１７に力が加わった場合でも取り付け面との密着性を維持するようにしている。また、保護部材１５の底面に粘着層を設けた場合には粘着部材１４ａを介在させることなく保護部材１５の底面の該当部分を直接取り付け面に接着させることもできる。また、この場合には第二の粘着テープ１４，１４に両面テープを用いる必要はない。また、粘着部材１４ａを用いずに第二の粘着テープ１４，１４を保護部材１５の端部に至る長さとすることももちろん可能である。
【００２３】
［支柱支持具１の固定方法］
次に、支柱支持具１の固定方法について説明する。図４は本発明に係る支柱支持具の固定方法を示す工程図である。まず、図１に示す各部材の予想される必要数を予め用意し、これらを設置場所へ搬入する。設置場所ではベース部材１０，１０を配置することとなる取り付け面及びその周囲を予めきれいに清掃し、第一の粘着テープ１２，１２の粘着力が効果的に発揮されるようにしておくと良い。そして、ベース部材１０を所定位置の取り付け面に配置し（工程１０１）、ベース部材１０の周囲（四辺）に第一の粘着テープ１２，１２を貼り付け、ベース部材１０を取り付け面にしっかりと貼着する（工程１０２）。次に、第一の粘着テープ１２，１２に重なるようにしてカバー部材１３を図３に示すように配置し、パッド部材２１が内装されたカバー部材１３をネジ１８，１８によってベース本体１０ｂに固定する（工程１０３）。次に、カバー鍔１３ａ及びこれに隣接する取り付け面に第二の粘着テープ１４，１４を貼着する（工程１０４）。このとき、保護部材１５の端部に至る部分には粘着部材１４ａを介在させる。
【００２４】
次いで、図３に示すように、第二の粘着テープ１４，１４及び粘着部材１４ａの上面側に保護部材１５を配置し、保護部材１５を第二の粘着テープ１４，１４及び粘着部材１４ａでしっかりと粘着して保護部材１５を固定する（工程１０５）。同様の工程によって取り付けられた他の支柱支持具１のそれぞれの手摺収容部１１，１１に支柱１６ａ，１６ｂを取り付け、手摺収容部１１，１１の上端に手摺り１７を架け渡す（工程１０６）。これにより、手摺り１７の設置が完了する。
【００２５】
尚、事情によって手摺り１７を撤去する必要が生じた場合、支柱１６ａ，１６ｂ及び手摺り１７を取り外し、その後、組み立てた時と逆の手順、即ち、上部に配設された部材から順に撤去する。即ち、保護部材１５、第二の粘着テープ１４，１４及び粘着部材１４ａ、カバー部材１３、第一の粘着テープ１２，１２、最後にベース部材１０の順に撤去する。主要部材（ベース部材１０、カバー部材１３、保護部材１５等）の固定手段がテープであるため、各部材を撤去した後の路面や床面の設置面にねじ孔等の加工跡が生じることはない。
【００２６】
［実施形態の効果］
本実施形態に係る支柱支持具によれば、主要な部材の固定を第一の粘着テープ１２，１２及び第二の粘着テープ１４，１４によって固定することとしたので、支柱支持具１を撤去することになっても設置面に加工跡等を生じさせず、設置前の状態を維持することができるという効果がある。
【００２７】
また、カバー部材１３とベース部材１０との間にパッド部材２１を設けたのでカバー部材１３をベース本体１０ｂに締着した際にカバー部材１３が下方側に向かって付勢されることによりパッド部材２１が第一の粘着テープ１２，１２を押圧することとなり、該粘着テープ１２，１２によるベース部材１０の固定を確実、且つ、強固に粘着固定することができるという効果がある。
【００２８】
以上のように、好ましい実施形態について説明したが、本発明は係る特定の実施形態に限定されるものではなく、特許請求の範囲に記載された本発明の要旨の範囲内において、種々の変形・変更が可能であることはいうまでもない。本実施形態では、第一の粘着テープ１２，１２及び第二の粘着テープ１４，１４は、それぞれベース鍔１０ａ及びカバー鍔１３ａの上から貼付したが、第一の粘着テープ１２，１２及び第二の粘着テープ１４，１４をベース鍔１０ａ及びカバー鍔１３ａと取り付け面との間に介在させることによりベース部材１０及びカバー部材１３を取り付け面に密着させることも可能である。
【符号の説明】
【００２９】
１      支柱支持具
１０      ベース部材
１０ａ      ベース鍔
１０ｂ      ベース本体
１１      手摺収容部
１２      第一の粘着テープ
１３      カバー部材
１３ａ      カバー鍔
１４      第二の粘着テープ
１４ａ    粘着部材
１５      保護部材
１６      支柱
１７      手摺り
１８      ネジ
１９      中空部
２０      カバー本体
２１      パッド部材
【図１】
2014001543.tif 000003
【図２】
2014001543.tif 000004
【図３】
2014001543.tif 000005
【図４】
2014001543.tif 000006